【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
映像信号に含まれた映像データをディスプレイするディスプレイ部と、
前記映像信号に含まれた映像データが二次元映像であるか三次元映像であるかについての情報である映像特性パラメータを検出する映像特性パラメータ検出部と、
前記検出された映像特性パラメータに基づき、前記ディスプレイ部に動作モード転換信号を出力する動作モード転換判断部とを備えることを特徴とする映像ディスプレイモード転換装置。
【請求項２】
前記映像特性パラメータ検出部は、
前記映像データが三次元映像である場合、前記三次元映像の撮像視点数についての情報である映像特性パラメータを検出する撮像視点数検出部をさらに備えることを特徴とする請求項１に記載の映像ディスプレイモード転換装置。
【請求項３】
前記映像特性パラメータ検出部は、
前記映像データが三次元映像である場合、前記三次元映像のディスプレイフォーマットについての情報である映像特性パラメータを検出するディスプレイフォーマット検出部をさらに備えることを特徴とする請求項１に記載の映像ディスプレイモード転換装置。
【請求項４】
前記動作モード転換判断部は、前記検出された映像特性パラメータを入力され、前記ディスプレイ部の動作モードを転換するか否かを判断し、前記判断結果により、前記ディスプレイ部に前記動作モード転換信号を出力することを特徴とする請求項１に記載の映像ディスプレイモード転換装置。
【請求項５】
前記動作モード転換判断部は、前記ディスプレイ部に前記動作モード転換信号を出力する際に、前記検出された映像特性パラメータを単独で用い、前記検出された映像特性パラメータを現在ディスプレイされている映像データの特性を表す以前の映像特性パラメータと比較しないことを特徴とする請求項１に記載の映像ディスプレイモード転換装置。
【請求項６】
前記三次元映像のディスプレイフォーマットは、ライン−バイ−ラインフォーマット、ピクセル−バイ−ピクセルフォーマット、トップダウンフォーマット及びサイド−バイ−サイドフォーマットのうち、いずれか一つを含むことを特徴とする請求項３に記載の映像ディスプレイモード転換装置。
【請求項７】
前記動作モード転換判断部は、
前記映像特性パラメータ検出部から検出された映像特性パラメータを入力される入力部と、
前記入力された映像特性パラメータが変更されているか否かを判断し、前記ディスプレイ部の動作モード転換いかんを判断する判断部とを備えることを特徴とする請求項４に記載の映像ディスプレイモード転換装置。
【請求項８】
前記動作モード転換判断部は、
前記映像特性パラメータと関連した前記ディスプレイ部の特性情報をローディングするローディング部をさらに備えるが、
前記ディスプレイ部動作モードを転換するか否かを判断することは、前記入力部を介して入力される映像特性パラメータと、前記ローディングされたディスプレイ部の特性情報とを比較して判断することを特徴とする請求項７に記載の映像ディスプレイモード転換装置。
【請求項９】
前記動作モード転換判断部は、
前記ディスプレイ部動作モードを転換せねばならないと判断される場合、前記ディスプレイ部に動作モード転換信号を出力するディスプレイ出力部をさらに備えることを特徴とする請求項７に記載の映像ディスプレイモード転換装置。
【請求項１０】
前記動作モード転換判断部は、
前記ディスプレイ部動作モードを転換せねばならないと判断される場合、これをユーザに知らせるためのお知らせ信号を出力するお知らせ出力部をさらに備えることを特徴とする請求項７に記載の映像ディスプレイモード転換装置。
【請求項１１】
前記動作モード転換判断部は、
前記ディスプレイ部動作モードを転換せねばならないと判断される場合、前記ディスプレイ部に動作モード転換信号を出力するディスプレイ出力部と、
前記ディスプレイ部動作モードを転換せねばならないと判断される場合、これをユーザに知らせるためのお知らせ信号を出力するお知らせ出力部と、
前記ディスプレイ部動作モードを転換せねばならないと判断される場合、前記ディスプレイ出力部を活性化させるか、または前記お知らせ出力部を活性化させるかを設定する設定部とをさらに備えることを特徴とする請求項７に記載の映像ディスプレイモード転換装置。
【請求項１２】
前記映像特性パラメータと関連した前記ディスプレイ部の特性情報を保存している保存部をさらに備えることを特徴とする請求項４に記載の映像ディスプレイモード転換装置。
【請求項１３】
前記ディスプレイ部の動作モードを転換せねばならないということを知らせたり、または前記ディスプレイ部の動作モードが転換されているということを知らせるお知らせ部をさらに備えるが、
前記お知らせ部は、オンスクリーンディスプレイ、発光ダイオード及びスピーカのうち、少なくともいずれか１つの方式で具現されることを特徴とする請求項４に記載の映像ディスプレイモード転換装置。
【請求項１４】
前記動作モード転換判断部を制御する命令をユーザから受信する入出力インターフェースを提供するユーザインターフェース部をさらに備えることを特徴とする請求項１に記載の映像ディスプレイモード転換装置。
【請求項１５】
前記映像特性パラメータ検出部は、
前記映像信号のヘッダに含まれた映像特性パラメータを検出することを特徴とする請求項１に記載の映像ディスプレイモード転換装置。
【請求項１６】
前記映像データは、デジタル放送システムに適用されるデータであることを特徴とする請求項１に記載の映像ディスプレイモード転換装置。
【請求項１７】
（ａ）映像データが二次元映像であるか三次元映像であるかについての情報を表す映像特性パラメータを入力されるステップと、
（ｂ）前記映像データをディスプレイするディスプレイ装置に、前記入力された映像特性パラメータに基づいて動作モード転換信号を出力するステップと、を含むことを特徴とする映像ディスプレイモードの転換方法。
【請求項１８】
前記動作モード転換信号の前記出力は、
（ｃ）前記入力された映像特性パラメータを現在ディスプレイされている映像データの特性を表す以前の映像特性パラメータと比較し、変更がなされているか否かを判断するステップと、
（ｄ）前記（ｃ）ステップで変更がなされていると判断される場合、前記映像データをディスプレイするディスプレイ装置に、前記入力された映像特性パラメータによる動作モードに映像ディスプレイモードを転換するための動作モード転換信号を出力するステップと、を含むことを特徴とする請求項１７に記載の映像ディスプレイモードの転換方法。
【請求項１９】
前記動作モード転換信号の前記出力は、
前記ディスプレイ装置に前記動作モード転換信号を出力する際に、前記検出された映像特性パラメータを単独で用い、前記入力された映像特性パラメータを現在ディスプレイされている映像データの特性を表す以前の映像特性パラメータと比較しないステップを含むことを特徴とする請求項１７に記載の映像ディスプレイモードの転換方法。
【請求項２０】
（ｅ）前記（ｃ）ステップで変更がなされていると判断される場合、前記映像特性パラメータが変更されているということを知らせるお知らせ信号を出力するステップとをさらに含むことを特徴とする請求項１８に記載の映像ディスプレイモードの転換方法。
【請求項２１】
前記映像特性パラメータは、前記映像データが三次元映像である場合、前記三次元映像の撮像視点数についての情報をさらに含んでなることを特徴とする請求項１８に記載の映像ディスプレイモードの転換方法。
【請求項２２】
前記（ｄ）ステップは、
（ｄ１）前記（ｃ）ステップで変更がなされていると判断される場合、前記変更されている映像特性パラメータと関連した前記ディスプレイ装置の特性情報をローディングするステップと、
（ｄ２）前記変更されている映像特性パラメータと、前記ローディングされたディスプレイ装置の特性情報とを比較し、一致しているか否かを判断するステップと、
（ｄ３）前記（ｄ２）ステップで一致すると判断される場合、前記ディスプレイ装置に、前記変更されている映像特性パラメータによる動作モード転換信号を出力するステップとによりなされることを特徴とする請求項２１に記載の映像ディスプレイモードの転換方法。
【請求項２３】
前記（ｄ２）ステップで一致していないと判断される場合、一致していないということを知らせるお知らせ信号を出力するステップとをさらに含むことを特徴とする請求項２２に記載の映像ディスプレイモードの転換方法。
【請求項２４】
前記映像特性パラメータは、前記映像データが三次元映像である場合、前記三次元映像のディスプレイフォーマットについての情報をさらに含んでなることを特徴とする請求項１８に記載の映像ディスプレイモードの転換方法。
【請求項２５】
前記三次元映像のディスプレイフォーマットは、ライン−バイ−ラインフォーマット、ピクセル−バイ−ピクセルフォーマット、トップダウンフォーマット及びサイド−バイ−サイドフォーマットのうち、いずれか一つを含むことを特徴とする請求項２４に記載の映像ディスプレイモードの転換方法。
【請求項２６】
前記（ｄ）ステップは、
（ｄ１）前記（ｃ）ステップで変更がなされていると判断される場合、前記変更されている映像特性パラメータと関連した前記ディスプレイ装置の特性情報をローディングするステップと、
（ｄ２）前記変更されている映像特性パラメータと、前記ローディングされたディスプレイ装置の特性情報とを比較し、一致しているか否かを判断するステップと、
（ｄ３）前記（ｄ２）ステップで一致すると判断される場合、前記ディスプレイ装置に、前記変更されている映像特性パラメータによる動作モード転換信号を出力するステップとによりなされることを特徴とする請求項２４に記載の映像ディスプレイモードの転換方法。
【請求項２７】
前記（ｄ２）ステップで一致していないと判断される場合、一致していないということを知らせるお知らせ信号を出力するステップと、をさらに含むことを特徴とする請求項２６に記載の映像ディスプレイモードの転換方法。
【請求項２８】
（ａ）映像データが二次元映像であるか三次元映像であるかについての情報を表す映像特性パラメータを入力されるステップと、
（ｂ）前記入力された映像特性パラメータを現在ディスプレイされている映像データの特性を表す以前の映像特性パラメータと比較し、変更がなされているか否かを判断するステップと、
（ｃ）前記（ｂ）ステップで変更がなされていると判断される場合、前記映像特性パラメータが変更されているということを知らせるお知らせ信号を出力するステップとを含むことを特徴とする映像ディスプレイモードの転換方法。
【請求項２９】
前記映像特性パラメータは、前記映像データが三次元映像である場合、前記三次元映像の撮像視点数についての情報をさらに含んでなることを特徴とする請求項２８に記載の映像ディスプレイモードの転換方法。
【請求項３０】
前記映像特性パラメータは、前記映像データが三次元映像である場合、前記三次元映像のディスプレイフォーマットについての情報をさらに含んでなることを特徴とする請求項２８に記載の映像ディスプレイモードの転換方法。
【請求項３１】
請求項１７に記載の映像ディスプレイモードの転換方法をコンピュータで実行させるためのプログラムを記録したコンピュータで読み取り可能な記録媒体。
【請求項３２】
請求項２８に記載の映像ディスプレイモードの転換方法をコンピュータで実行させるためのプログラムを記録したコンピュータで読み取り可能な記録媒体。